(57)【特許請求の範囲】
【請求項１】
一対の箸体からなり、分離し得るように一体的に保持される箸と、前記一対の箸体間にこれら箸体の分離に際して離脱し得るように挟持状態で保持され、食用貴金属箔から形成された粉状、小片状の一方、若しくは両方からなる所望量の食用貴金属箔製剤とを備えた食用貴金属箔製剤添加用箸。
【請求項２】
箸が、一対の箸体の基部側で分割されることより分離されるように連設されるとともに、前記一対の箸体間における前記連設部の先方にスリット状部を有するように割箸状に構成され、所望量の食用貴金属箔製剤が前記スリット状部における先端部側に収められた請求項１記載の食用貴金属箔製剤添加用箸。
【請求項３】
一対の箸体が所望量の食用貴金属箔製剤を挟持する平面状部を有する請求項１または２記載の食用貴金属箔製剤添加用箸。
【請求項４】
食用貴金属箔製剤が純金を主成分とする請求項１ないし３のいずれかに記載の食用貴金属箔製剤添加用箸。
【発明の詳細な説明】
【０００１】
【発明の属する技術分野】
本発明は、料理、飲み物、菓子などに食用貴金属箔製剤を添加するために用いる食用貴金属箔製剤添加用箸に関する。
【０００２】
【従来の技術】
例えば、純金箔は殺菌、解毒作用があるとされ、古くより和漢薬などに使用されてきた。従来、食用純金箔を料理等に添加するには、食用純金箔から形成された粉状、小片状の食用純金箔製剤を容器内に収めておき、この容器内の食用純金箔製剤を箸により挟んでいた。しかしながら、このような添加方式では所望量の純金箔製剤を挟み取るのが難しい。
【０００３】
そこで、近年、食用純金箔を料理、飲み物、菓子などに添加するために振り出し容器が用いられている。この振り出し容器は、その一例として、厚紙、竹等からなる有底の容器本体と、この容器本体に離脱可能に、かつ回転可能に嵌合された蓋体とを備え、容器本体の上端部と蓋体の下端部とに振り出し用開口部が形成されている。容器本体内に前記と同様に、粉状、小片状の多量の食用純金箔製剤が収められている。
【０００４】
そして、蓋体を回転させて蓋体と容器本体の振り出し用開口部を一致させ、振り出し容器を振ることにより、容器本体内に収められている食用純金箔製剤を振り出し用開口部から所望の料理、飲み物、菓子などに振り掛けて添加することができる。
【０００５】
【発明が解決しようとする課題】
しかしながら、前記のような振り出し容器から食用純金箔製剤を料理等に添加すると、使用経験を有しない者にあっては、一度に添加する量が分からず、使用し難い。また、食用純金箔製剤は軽いため、誰もが簡単に所望量の食用純金箔製剤を振り出すこともできない。
【０００６】
本発明の目的は、前記のような従来の問題を解決しようとするものであり、あらかじめ設定された量の食用貴金属箔製剤を料理等に添加使用することができるので、使用経験を有しない者であっても、料理等に添加使用する食用貴金属箔製剤の量を理解することができ、したがって、使用者がその後、食用貴金属箔製剤を料理等に添加使用する際の参考とすることができ、また、食用貴金属箔製剤を飲食等に際して初期の段階で使用することができ、したがって、飲食等の雰囲気に豪華さを与えることができるので、宴会等、汎用性を得ることができ、更に、簡単な操作により所望量の食用貴金属箔製剤を料理等に添加使用することができ、したがって、性別、年齢を問わず、誰でも使用することができるようにした食用貴金属箔製剤添加用箸を提供しようとするものである。
【０００７】
【課題を解決するための手段】
前記課題を解決するために本発明は、一対の箸体からなり、分離し得るように一体的に保持される箸と、前記一対の箸体間にこれら箸体の分離に際して離脱し得るように挟持状態で保持され、食用貴金属箔から形成された粉状、小片状の一方、若しくは両方からなる所望量の食用貴金属箔製剤とを備えたものである。
【０００８】
前記構成において、前記箸については、前記一対の箸体の基部側で分割することにより分離し得るように連設するとともに、前記一対の箸体間における前記連設部の先方にスリット状部を有するように割箸状に構成し、所望量の食用貴金属箔剤を前記スリット状部における先端部側に収めることができる。
【０００９】
前記一対の箸体が所望量の食用貴金属箔製剤を挟持する平面状部を有するのが好ましく、また、前記食用貴金属箔製剤として、純金を主成分とするものを用いるのが好ましい。
【００１０】
前記のように構成された本発明によれば、一対の箸体間に所望量の食用貴金属箔製剤を挟持状態に保持させているので、料理等の上方で一対の箸体を分離することにより、あらかじめ設定された量の食用貴金属箔製剤を解放して落下させ、料理等に添加使用することができ、使用経験を有しない者であっても、料理等に添加使用する食用貴金属箔製剤の量を理解することができる。また、前記のように食用貴金属箔製剤を料理等を挟むための一対の箸体間に挟持状態に保持させ、一対の箸体を分離することにより、食用貴金属箔製剤を解放して料理等に添加使用することができるので、食用貴金属箔製剤を飲食等に際して初期の段階で使用することができる。更に、一対の箸体を分離するだけの簡単な操作により所望量の食用貴金属箔製剤を料理等に添加使用することができる。
【００１１】
【発明の実施の形態】
以下、本発明の実施形態について図面を参照しながら説明する。
図１は本発明の一実施形態に係る食用貴金属箔製剤添加用箸を示す正面図、図２、図３、図４はそれぞれ図１のII−II線、III−III線、IV−IV線に沿う拡大断面図、図５、図６はそれぞれ同食用貴金属箔製剤添加用箸に用いる箸で食用貴金属箔製剤を挟持する説明用の正面図である。
【００１２】
図１ないし図６に示すように、本発明の食用貴金属箔製剤添加用箸１は、箸２と、食用貴金属箔製剤３とから構成されている。
【００１３】
本実施形態においては、箸２として割箸を用いている。その一例として、杉、檜等の木材、竹材等からなり、一対の箸体４、４が断面ほぼ四角形の角棒状で基端側から先端側に至るに従い、次第にやや幅狭となるように形成され、基端側から連設部５（図１、図２、図５、図６の鎖線参照）を残してその先方に先端に至るスリット状部６が形成され、連設部５により一対の箸体４、４が分割可能に一体的に保持されている。各箸体４、４はその先端側部の四隅の稜部に面取り加工７が施工されている。
【００１４】
前記のように構成された割箸２は、一対の箸体４、４の中間部におけるやや先端側寄り位置を両外側で互いに離隔する方向に適度な力を加えて引張ることにより、箸体４、４の弾性変形の利用により図６に示すように、連設部５の先方のスリット状部６を先端側に至るに従い、次第にやや幅広となるように拡開することができる。更に大きな引張力を加えることにより、箸体４、４を連設部５で分割して分離することができる。
【００１５】
一方、食用貴金属箔製剤３は、薄く展延された金属箔、例えば、純金箔が粉状、小片状のいずれか一方、若しくはその両方に形成されている。
【００１６】
そして、前記のように割箸２が連設部５の先方で拡開された状態で、その箸体４、４の先端部側を所望の容器内の食用貴金属箔製剤３に挿入し、箸体４、４の引張り力を解除して箸体４、４が閉じる方向に復帰させることにより、図１、図４に示すように、箸体４、４の先端部側の平面状部で所望量の食用貴金属箔製剤３を挟持し、箸体４、４間のスリット状部６における先端部側に食用貴金属箔製剤３を収めた状態に保持することができる（図１、図４では理解しやすいように食用貴金属箔製剤３の量を多く示している。）。なお、箸体４、４の外側に付着した食用貴金属箔製剤３は箸体４、４を容器外に取り出す際に拭って容器内に落下させる。
【００１７】
本実施形態における食用貴金属箔製剤３は、その一例として、重量％で純金が９４．４３％、純銀が４．９０％、純胴が０．６６％であり、純金を主成分として形成されている。なお、食用貴金属箔製剤３としては純金箔以外の食用貴金属箔、例えば、純銀を主成分とする箔を用いることもできる。
【００１８】
本実施形態における食用貴金属箔製剤添加用箸１は、使用前の状態では紙袋（図示省略）に取り出し可能に収納され、若しくは包装用紙（図示省略）で取り出し可能に包まれ、更に必要に応じて透視可能な薄肉の合成樹脂フィルム製の袋（図示省略）に取り出し可能に収納される。
【００１９】
以上のように構成された食用貴金属箔製剤添加用箸１を用いるには、使用者が袋等から取り出した後、例えば、所望の料理、飲み物、菓子等の上方において水平状態にし、前記と同様に割箸２の箸体４、４の中間部におけるやや先端側寄り位置を両外側で互いに離隔する方向に強く引張る。これに伴い、まず、箸体４、４間を拡開させ、挟持状態で保持していた食用貴金属箔製剤３を解放することにより、食用貴金属箔製剤３を箸体４、４から離脱させ、所望の料理等の上に落下させて添加することができる。このとき、箸体４、４を前記のように、特に、木材、竹材により形成することにより、食用貴金属箔製剤３は静電気の影響を受けることなく、したがって、比較的簡単にほとんど全部の食用貴金属箔製剤３を箸体４、４に付着した状態で残らないようにして落下させることができ、料理等に対する添加作業を誰でも簡単に、かつ迅速に行うことができる。続いて、割箸２の連設部５を切断し、箸体４、４を分割して分離することにより、飲食等の用に供することができる。
【００２０】
なお、割箸２の先端部を紙製等のバンド部材により一体的に保持することにより、食用貴金属箔製剤３を一層確実に挟持状態で保持することができる。また、割箸２は前記実施形態の材質、形状に限定されるものではなく、このほか、例えば、合成樹脂により成形し、箸体４、４の断面形状も任意に選択することができる。また、本発明に用いる箸２は割箸に限定されるものではなく、一対の箸体４、４が分離状態であってもよく、食用貴金属箔製剤３を挟持した状態で紙製等のバンド部材により箸体４、４を一体的に保持することにより、箸体４、４間に食用貴金属箔製剤３を挟持した状態で保持させるようにしてもよい。この場合には箸体４、４を形成する材料に制約を受けることがなく、任意の材料により形成することができる。このほか、本発明は、その基本的技術思想を逸脱しない範囲で種々設計変更することができる。
【００２１】
【発明の効果】
以上説明したように本発明によれば、一対の箸体間に所望量の食用貴金属箔製剤を挟持状態に保持させているので、料理等の上方で一対の箸体を分離することにより、あらかじめ設定された量の食用貴金属箔製剤を解放して落下させ、料理等に添加使用することができ、使用経験を有しないものであっても、料理等に添加使用する食用貴金属箔製剤の量を理解することができる。したがって、使用者がその後、食用貴金属箔製剤を料理等に添加使用する際の参考とすることができる。また、前記のように食用貴金属箔製剤を料理等を挟むための一対の箸体間に挟持状態に保持させ、一対の箸体を分離することにより、食用貴金属箔製剤を解放して料理等に添加使用することができるので、食用貴金属箔製剤を飲食等に際して初期の段階で使用することができる。更に、一対の箸体を分離するだけの簡単な操作により所望量の食用貴金属箔製剤を料理等に添加使用することができる。したがって、性別、年令を問わず、誰でも使用することができる。
【図面の簡単な説明】
【図１】本発明の一実施形態に係る食用貴金属箔製剤添加用箸を示す正面図である。
【図２】同食用貴金属箔製剤添加用箸を示し、図１のII−II線に沿う拡大断面図である。
【図３】同食用貴金属箔製剤添加用箸を示し、図１のIII‐III線に沿う拡大断面図である。
【図４】同食用貴金属箔製剤添加用箸を示し、図１のIV−IV線に沿う拡大断面図である。
【図５】同食用貴金属箔製剤添加用箸に用いる箸で食用貴金属箔製剤を挟持する前の状態を示す正面図である。
【図６】同食用貴金属箔製剤添加用箸に用いる箸で食用貴金属箔製剤を挟持するために先端部側を拡開した状態を示す正面図である。
【符号の説明】
１  食用貴金属箔製剤添加用箸
２  箸（割箸）
３  食用貴金属箔製剤
４  箸体
５  連設部
６  スリット状部
【図１】
0003651445.tif 000002
【図２】
0003651445.tif 000003
【図３】
0003651445.tif 000004
【図４】
0003651445.tif 000005
【図５】
0003651445.tif 000006
【図６】
0003651445.tif 000007